【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
送信セクタスイープ（ＴＸＳＳ）終了後、ＳＩＳＯのビームフォームトレーニング（ＢＦＴ）、シングルユーザＭＩＭＯ（ＳＵ−ＭＩＭＯ）のＢＦＴ、マルチユーザＭＩＭＯ（ＭＵ−ＭＩＭＯ）のＢＦＴのいずれかを示す値又は予約値が設定されたBF training typeフィールドを含むフィードバック要求フレームをレスポンダ装置に送信する送信部と、
前記ＴＸＳＳでの前記レスポンダ装置における受信に用いられた複数のセクタの少なくとも一部に対応する複数のセクタＩＤと複数のアンテナとを示すセクタＩＤオーダーサブフィールドと、前記複数のセクタでのSignal to Noise Ratio（ＳＮＲ）を示すＳＮＲサブフィールドとを含むフィードバックフレームを前記レスポンダ装置から受信する受信部と、
前記セクタＩＤオーダーサブフィールドと前記ＳＮＲサブフィールドとに基づいて、前記レスポンダ装置との間で、前記BF training typeフィールドにより示された種類のＢＦＴを実施する制御部と、
を具備するイニシエータ装置。
【請求項２】
前記ＴＸＳＳは、ＤＭＧ  Ｂｅａｃｏｎフレーム、ＳＳＷ（Ｓｅｃｔｏｒ  Ｓｗｅｅｐ）フレーム、Ｓｈｏｒｔ  ＳＳＷフレーム及びＤＭＧ  ＢＲＰ（Ｂｅａｍ  Ｒｅｆｉｎｅｍｅｎｔ  Ｐｒｏｔｏｃｏｌ）−ＴＸフレームのいずれかを用いて実行される、
請求項１記載のイニシエータ装置。
【請求項３】
前記BF training typeフィールドは、前記ＳＩＳＯのＢＦＴを示す場合は０に設定され、前記ＳＵ−ＭＩＭＯのＢＦＴを示す場合は１に設定され、前記ＭＵ−ＭＩＭＯのＢＦＴを示す場合は２に設定される、
請求項１又は２記載のイニシエータ装置。
【請求項４】
前記フィードバック要求フレームは、フィードバックを要求するか否かを示すＴＸＳＳフィードバック要求フィールドと、ＳＮＲのフィードバックを要求するか否かを示すＳＮＲ要求サブフィールドとをさらに含む、
請求項１乃至３いずれか一項記載のイニシエータ装置。
【請求項５】
前記BF training typeフィールドが前記ＳＩＳＯのＢＦＴを示す０に設定され、前記ＴＸＳＳフィードバック要求フィールドが１に設定され、前記ＳＮＲ要求サブフィールドが１に設定されている場合、前記レスポンダ装置から受信する前記フィードバックフレームは、０に設定された第２のBF training type サブフィールドを含む、
請求項４記載のイニシエータ装置。
【請求項６】
前記BF training typeフィールドが前記ＳＵ−ＭＩＭＯのＢＦＴを示す１に設定され、前記ＴＸＳＳフィードバック要求フィールドが１に設定され、前記ＳＮＲ要求サブフィールドが１に設定されている場合、前記レスポンダ装置から受信する前記フィードバックフレームは、１に設定された第２のBF training type サブフィールドを含む、
請求項４記載のイニシエータ装置。
【請求項７】
前記BF training typeフィールドが前記ＭＵ−ＭＩＭＯのＢＦＴを示す２に設定され、前記ＴＸＳＳフィードバック要求フィールドが１に設定され、前記ＳＮＲ要求サブフィールドが１に設定されている場合、前記フィードバック要求フレームは、前記レスポンダ装置を含む複数のレスポンダ装置の各々に送信され、前記レスポンダ装置から受信する前記フィードバックフレームは、２に設定された第２のBF training type サブフィールドを含む、
請求項４記載のイニシエータ装置。
【請求項８】
前記フィードバック要求フレーム及び前記フィードバックフレームは、いずれもＢＲＰフレームである、
請求項１乃至７いずれか一項記載のイニシエータ装置。
【請求項９】
イニシエータの通信方法であって、
送信セクタスイープ（ＴＸＳＳ）終了後、ＳＩＳＯのビームフォームトレーニング（ＢＦＴ）、シングルユーザＭＩＭＯ（ＳＵ−ＭＩＭＯ）のＢＦＴ、マルチユーザＭＩＭＯ（ＭＵ−ＭＩＭＯ）のＢＦＴのいずれかを示す値又は予約値が設定されたBF training typeフィールドを含むフィードバック要求フレームをレスポンダに送信し、
前記ＴＸＳＳでの前記レスポンダにおける受信に用いられた複数のセクタの少なくとも一部に対応する複数のセクタＩＤと複数のアンテナとを示すセクタＩＤオーダーサブフィールドと、前記複数のセクタでのSignal to Noise Ratio（ＳＮＲ）を示すＳＮＲサブフィールドとを含むフィードバックフレームを前記レスポンダから受信し、
前記セクタＩＤオーダーサブフィールドと前記ＳＮＲサブフィールドとに基づいて、前記レスポンダとの間で、前記BF training typeフィールドにより示された種類のＢＦＴを実施する、
通信方法。
【請求項１０】
前記ＴＸＳＳは、ＤＭＧ  Ｂｅａｃｏｎフレーム、ＳＳＷ（Ｓｅｃｔｏｒ  Ｓｗｅｅｐ）フレーム、Ｓｈｏｒｔ  ＳＳＷフレーム及びＤＭＧ  ＢＲＰ（Ｂｅａｍ  Ｒｅｆｉｎｅｍｅｎｔ  Ｐｒｏｔｏｃｏｌ）−ＴＸフレームのいずれかを用いて実行される、
請求項９記載の通信方法。
【請求項１１】
前記BF training typeフィールドは、前記ＳＩＳＯのＢＦＴを示す場合は０に設定され、前記ＳＵ−ＭＩＭＯのＢＦＴを示す場合は１に設定され、前記ＭＵ−ＭＩＭＯのＢＦＴを示す場合は２に設定される、
請求項９又は１０記載の通信方法。
【請求項１２】
前記フィードバック要求フレームは、フィードバックを要求するか否かを示すＴＸＳＳフィードバック要求フィールドと、ＳＮＲのフィードバックを要求するか否かを示すＳＮＲ要求サブフィールドとをさらに含む、
請求項９乃至１１いずれか一項記載の通信方法。
【請求項１３】
前記BF training typeフィールドが前記ＳＩＳＯのＢＦＴを示す０に設定され、前記ＴＸＳＳフィードバック要求フィールドが１に設定され、前記ＳＮＲ要求サブフィールドが１に設定されている場合、前記レスポンダから受信する前記フィードバックフレームは、０に設定された第２のBF training type サブフィールドを含む、
請求項１２記載の通信方法。
【請求項１４】
前記BF training typeフィールドが前記ＳＵ−ＭＩＭＯのＢＦＴを示す１に設定され、前記ＴＸＳＳフィードバック要求フィールドが１に設定され、前記ＳＮＲ要求サブフィールドが１に設定されている場合、前記レスポンダから受信する前記フィードバックフレームは、１に設定された第２のBF training type サブフィールドを含む、
請求項１２記載の通信方法。
【請求項１５】
前記BF training typeフィールドが前記ＭＵ−ＭＩＭＯのＢＦＴを示す２に設定され、前記ＴＸＳＳフィードバック要求フィールドが１に設定され、前記ＳＮＲ要求サブフィールドが１に設定されている場合、前記フィードバック要求フレームは、前記レスポンダを含む複数のレスポンダの各々に送信され、前記レスポンダから受信する前記フィードバックフレームは、２に設定された第２のBF training type サブフィールドを含む、
請求項１２記載の通信方法。
【請求項１６】
前記フィードバック要求フレーム及び前記フィードバックフレームは、いずれもＢＲＰフレームである、
請求項９乃至１５いずれか一項記載の通信方法。
【請求項１７】
イニシエータの集積回路であって、
送信セクタスイープ（ＴＸＳＳ）終了後、ＳＩＳＯのビームフォームトレーニング（ＢＦＴ）、シングルユーザＭＩＭＯ（ＳＵ−ＭＩＭＯ）のＢＦＴ、マルチユーザＭＩＭＯ（ＭＵ−ＭＩＭＯ）のＢＦＴのいずれかを示す値又は予約値が設定されたBF training typeフィールドを含むフィードバック要求フレームをレスポンダに送信するステップと、
前記ＴＸＳＳでの前記レスポンダにおける受信に用いられた複数のセクタの少なくとも一部に対応する複数のセクタＩＤと複数のアンテナとを示すセクタＩＤオーダーサブフィールドと、前記複数のセクタでのSignal to Noise Ratio（ＳＮＲ）を示すＳＮＲサブフィールドとを含むフィードバックフレームを前記レスポンダから受信するステップと、
前記セクタＩＤオーダーサブフィールドと前記ＳＮＲサブフィールドとに基づいて、前記レスポンダとの間で、前記BF training typeフィールドにより示された種類のＢＦＴを実施するステップと、
を制御する集積回路。
【手続補正２】
【補正対象書類名】明細書
【補正対象項目名】発明の名称
【補正方法】変更
【補正の内容】
【発明の名称】イニシエータ装置、通信方法及び集積回路